【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
無線ネットワークのための装置であって、前記無線ネットワークは前記装置が所定のデューティサイクル期間の所定の割合より少ない期間で送信することを要するデューティサイクル制限を有し、前記割合は、前記デューティサイクル期間の全送信時間予算と、前記デューティサイクル期間における時間間隔に対する平均送信時間であって、当該時間間隔において前記デューティサイクル制限により比例的に許可される前記平均送信時間とを定め、当該装置が、
−  転送されるべきデータを受信するための入力部と、
−  データを前記無線ネットワークに送信するための出力部と、
−  データの送信を前記デューティサイクル制限に従って制御するコントローラと、
を有し、前記コントローラは、
−  前記装置の過去の送信時間使用をバケットの系列に記憶し、ここで、各バケットは連続した隣接する時間間隔の系列における当該時間間隔を表し、当該時間間隔は前記デューティサイクル期間よりも小さいものとし、
−  送信時間のバケット予算を、
−  前記バケット予算に、対応する時間間隔の前記平均送信時間より小さな基本送信時間予算を割り当て、及び
−  現在のバケット予算に、データ送信における時間的変動を受容するために対応する時間間隔の前記平均送信時間を一時的に越えることを可能にするための追加の送信時間を割り当てると共に、一緒になって前記デューティサイクル期間をカバーする長さを有する過去の、現在の及び将来のバケットを含むバケットの更なる系列をスライド方式で分析し、実際の使用を含む過去のバケットである前記更なる系列の対応する部分、及び前記基本送信時間予算を有するように割り当てられた将来のバケットである前記更なる系列の相補的部分に基づき、各系列に関して利用可能な超過予算を計算し、計算された前記利用可能な超過予算の最小値を前記追加の送信時間として取ることによって、該追加の送信時間を、前記全送信時間予算と、前記将来のバケットの将来の前記基本送信時間予算と組み合わされた前記過去のバケットの過去の送信時間使用とに基づいて決定する、
ことにより決定する、
装置。
【請求項２】
前記コントローラは前記現在のバケットの前記追加の送信時間を追加の上限に更に基づいて決定し、当該上限は前記全送信時間予算から、前記デューティサイクル期間をカバーする前記系列における前記複数のバケットの基本予算の和を減算することにより定義される全超過時間予算より少ないものとし、当該上限がデューティサイクル期間における複数のバケットに追加の送信時間を割り当てることを可能にする、請求項１に記載の装置。
【請求項３】
前記コントローラは、要求された送信が送信時間の現在の使用を前記平均送信時間により比例的に許可される送信時間より超過させる場合に、対応する時間間隔内の前記要求された送信を遅延させることにより、現バケット内の送信を分散させる、請求項１に記載の装置。
【請求項４】
前記コントローラは、前記バケット予算を優先データ予算により減少させることにより少なくとも１つの優先タイプのデータ送信を許容すると共に、現バケット予算を該優先データ予算により対応して増加させながら前記優先タイプの実際のデータを送信する、請求項１に記載の装置。
【請求項５】
前記コントローラは、前記バケット予算の構成部分を所定の機能に適応させることにより、前記無線ネットワークにおいて当該所定の機能を許容する、請求項１ないし４の何れか一項に記載の装置。
【請求項６】
前記所定の機能が、転送器、データ収集器、クラスタヘッド及びアプリケーション端末のうちの少なくとも１つを有する、請求項５に記載の装置。
【請求項７】
前記コントローラは、要求されたデータ送信が送信時間の現在の使用に現バケット予算を超過させる場合、当該要求されたデータ送信の代わりに非アクノレッジメッセージを送信することによりネットワークレイヤ相互作用を行う、請求項１に記載の装置。
【請求項８】
前記コントローラは、経路指定を、
−  過去のデューティサイクル制限の履歴、
−  将来のデューティサイクル制限の予測、及び
−  送信が前記バケット予算を超える要求された送信により調整された過去の臨界的状態の履歴、
のうちの少なくとも１つに基づいて適応させることを含むネットワークレイヤ制御を許容する、請求項１に記載の装置。
【請求項９】
前記無線ネットワークにおいて無線通信を行う送信器を有する、請求項１に記載の装置。
【請求項１０】
アプリケーションを制御する及び／又は前記無線ネットワークからデータを受信し若しくは前記無線ネットワークへデータを供給するアプリケーションユニットを有する、請求項１又は請求項９に記載の装置。
【請求項１１】
無線ネットワークにおいて送信を決定する方法であって、前記無線ネットワークは装置が所定のデューティサイクル期間の所定の割合より少ない期間で送信することを要するデューティサイクル制限を有し、前記割合は、前記デューティサイクル期間の全送信時間予算と、前記デューティサイクル期間における時間間隔に対する平均送信時間であって、当該時間間隔において前記デューティサイクル制限により比例的に許可される前記平均送信時間とを定め、当該方法が、
−  前記装置の過去の送信時間使用をバケットの系列に記憶するステップであって、各バケットが連続した隣接する時間間隔の系列における対応する時間間隔を表し、これら時間間隔が前記デューティサイクル期間よりも小さいステップと、
−  送信時間のバケット予算を、
−  前記バケット予算に、対応する時間間隔の前記平均送信時間より小さな基本送信時間予算を割り当て、及び
−  現在のバケット予算に、データ送信における時間的変動を受容するために対応する時間間隔の前記平均送信時間を一時的に越えることを可能にするための追加の送信時間を割り当てると共に、一緒になって前記デューティサイクル期間をカバーする長さを有する過去の、現在の及び将来のバケットを含むバケットの更なる系列をスライド方式で分析し、実際の使用を含む過去のバケットである前記更なる系列の対応する部分、及び前記基本送信時間予算を有するように割り当てられた将来のバケットである前記更なる系列の相補的部分に基づき、各系列に関して利用可能な超過予算を計算し、計算された前記利用可能な超過予算の最小値を前記追加の送信時間として取ることによって、該追加の送信時間を、前記全送信時間予算と、前記将来のバケットの将来の前記基本送信時間予算と組み合わされた前記過去のバケットの過去の送信時間使用とに基づいて決定する、
ことにより決定するステップと、
を有する、方法。
【請求項１２】
前記装置のデータの送信を前記現在のバケット予算に従って制御するステップを有する、請求項１１に記載の方法。
【請求項１３】
前記現在のバケット予算が、
【数８】
2015520552.tif 000001
により決定され、ここで、
Ｎは前記デューティサイクル期間におけるバケットの全数、
bucket_minは前記基本送信時間予算、
bucket_usage[i]はバケットＩの間の送信時間使用であり、
bucket_excessはbucket_minを一時的に超過するために使用することが可能な予算である、
請求項１１に記載の方法。
【請求項１４】
無線ネットワークにおいて送信を決定するためのコンピュータプログラムであって、プロセッサに請求項１１に記載の方法を実行させる、コンピュータプログラム。